(57)【要約】【課題】  調理台の周囲を囲むように気流の壁を形成して換気扇の排煙効果を高め、風力を調節でき、構造が簡単でコストを抑えた導煙機の提供。【解決手段】  機体６の両側に縦管２を接続し、縦管２と横管３を接続管４で接続し、横管３の奥端部に送風機５を連結し、機体６内に送風機のＯＮ／ＯＦＦと風力調節を制御する制御回路を収納し、縦管２及び横管３の上面に通風孔２１，３１を形成し、縦管２及び横管３の一側部に形成した導線路に導線を挿通し、導線を介して制御回路と送風機５とを接続し、縦管２と横管３で調理台を囲んで、通風孔２１，３１から上方へ気流を吹き出すことにより、調理台の周囲に気流の壁を形成し、調理時に発生する煙を上方に設置された換気扇へ導引する。【選択図】          図２
0003109250.tif 000002
【実用新案登録請求の範囲】
【請求項１】
調理台の前部左右に配置される縦管、前記調理台の両側部に配置される横管、略Ｌ字形に屈曲して前記縦管と横管とを接続する接続管、前記横管の奥端部内へ送風する送風機、及び、該送風機のＯＮ／ＯＦＦと風力調節を制御する制御回路を収納した機体を備え、前記縦管及び横管の上面に複数の通風孔を一定間隔ごとに形成し、前記縦管及び横管の一側部に長手方向に沿って導線路を形成すると共に、該導線路の両端部にコネクタを設置し、前記導線路に挿通した導線の両端を前記コネクタに接続し、前記横管の内部両側寄りには長手方向に沿う２枚の隔壁が間隔をあけて配設され、該隔壁の間に前記通風孔と連通する複数の導気筒が設けられ、前記接続管の内部には前記縦管及び横管のコネクタと接続されるプラグを設け、前記送風機は、前記横管の奥端部に接続される送風口を有し、該送風口の内部に、電源線及び前記横管のコネクタに接続されるプラグを設け、前記機体の両側には前記縦管と接続される嵌合部を設け、前記制御回路に前記縦管のコネクタと接続されるプラグを設け、前記機体の上面に前記制御回路を操作する操作ボタンを設置し、前記プラグ、コネクタ及び導線を介して前記制御回路と前記送風機とを接続し、前記縦管及び横管の通風孔から上方へ向けて気流を吹き出して、前記調理台の周囲に気流の壁を形成し、調理時に発生する煙を前記調理台の上方に設置された換気扇へ導引することを特徴とした導煙機。
【請求項２】
前記横管の奥端部に、上下方向に湾曲した湾曲管の上部接続口を接続し、前記湾曲管の下部接続口に前記送風機の送風口を接続して、前記送風機を調理台の調理面より下方に設置した請求項１に記載の導煙機。
【請求項３】
前記横管の奥端部間に、前部の縦管と平行な他の縦管を架設し、該他の縦管を前記横管及び送風機の送風口と連通し、前記調理台の後部にも気流の壁を形成する請求項１に記載の導煙機。
【考案の詳細な説明】
【技術分野】
【０００１】
本考案は、調理時に発生する煙を換気扇口へ導引し、換気扇により屋外へ排出させる導煙機に関する。
【背景技術】
【０００２】
台所において調理時に発生する煙は、調理台の上方に設置した換気扇により吸引して屋外へ排出するのが一般的であった。
しかし、調理台と換気扇との間には相当の距離があるため、換気扇の吸引力が有効に発揮されず、この結果、一部の煙が台所にこもって空気が汚染され、人の呼吸に障害を与える虞があった。
【０００３】
そこで、本出願人は、図１に示すように、左右両側に管状の機体１１，１２を設け、機体１１，１２の前端部間に管状の機体１３を架設して、機体１１，１２，１３を略コ字状に組み立て、機体１１，１２，１３に通風孔を形成すると共に、機体１１，１２，１３内にそれぞれ篭型ホイール１５とこれを駆動するモータ１４とを収納し、機体１１，１２，１３を調理台の周囲に配設した状態で、モータ１４を駆動することにより気流を発生させ、上方へ空気を吹き出して調理台の周囲に気流の壁を形成する導煙機を提案した（特許文献１参照）。
しかし、この導煙機は、多数のモータとホイールとを有し、構造が複雑であるため、コストが高く付くという欠点があった。
【０００４】
【特許文献１】台湾特許第２１８７５７号明細書
【考案の開示】
【考案が解決しようとする課題】
【０００５】
本考案が解決しようとする課題は、調理台の周囲を囲むように気流の壁を形成し、調理時に発生する煙を換気扇口へ導引して効果的に屋外へ排出すると共に、煙の排出経路を他の区域から隔離し、構造が簡単であり、換気扇の設置高さに合わせて風力を調節することができる導煙機を提供することにある。
【課題を解決するための手段】
【０００６】
本考案の導煙機は、調理台の前部左右に配置される縦管、前記調理台の両側部に配置される横管、略Ｌ字形に屈曲して前記縦管と横管とを接続する接続管、前記横管の奥端部内へ送風する送風機、及び、該送風機のＯＮ／ＯＦＦと風力調節を制御する制御回路を収納した機体を備え、前記縦管及び横管の上面に複数の通風孔を一定間隔ごとに形成し、前記縦管及び横管の一側部に長手方向に沿って導線路を形成すると共に、該導線路の両端部にコネクタを設置し、前記導線路に挿通した導線の両端を前記コネクタに接続し、前記横管の内部には長手方向に沿う２枚の隔壁が間隔をあけて配設され、該隔壁の間に前記通風孔と連通する複数の導気筒が設けられ、前記接続管の内部には前記縦管及び横管のコネクタと接続されるプラグを設け、前記送風機は、前記横管の奥端部に接続される送風口を有し、該送風口の内部に、電源線及び前記横管のコネクタに接続されるプラグを設け、前記機体の両側には前記縦管と接続される嵌合部を設け、前記制御回路に前記縦管のコネクタと接続されるプラグを設け、前記機体の上面に前記制御回路を操作する操作ボタンを設置し、前記プラグ、コネクタ及び導線を介して前記制御回路と前記送風機とを接続し、前記縦管及び横管の通風孔から上方へ向けて気流を吹き出して、前記調理台の周囲に気流の壁を形成し、調理時に発生する煙を前記調理台の上方に設置された換気扇へ導引する。
【０００７】
前記横管の奥端部に、上下方向に湾曲した湾曲管の上部接続口を接続し、前記湾曲管の下部接続口に前記送風機の送風口を接続して、前記送風機を調理台の調理面より下方に設置しても良い。
前記横管の奥端部間に、前部の縦管と平行な他の縦管を架設し、該他の縦管を前記横管及び送風機の送風口と連通し、前記調理台の後部にも気流の壁を形成することがある。
【考案の効果】
【０００８】
本考案によれば、調理台の周囲に気流の壁を形成するので、調理時に発生した煙が速やかに換気扇口に導引されて屋外に排出され、排気通路から外方へ拡散して台所に充満することが無い。
また、調理台と換気扇との距離に応じて、送風機の風力を調節し、通風孔から吹き出す気流の強さを変えることが可能である。
さらに、横管の奥端部に送風機を設置してあるだけなので、調理台の側部及び前部左右に配置された全ての中空管内部に、それぞれホイール及びモータを収納した従来の導煙機に比べて、構造が簡単でコストが低廉で済む。
また、横管内には、隔壁間の中央流路と、その両側の側部流路とが形成され、中央流路では導気筒が設置されているため、側部流路よりも気流の速度が遅くなって圧力も弱くなり、この結果、送風機に近い横管の通風孔から吹き出す気流と、送風機から遠い縦管の通風孔から吹き出す気流とが均一化され、しかも、側部流路内を高速で流れる気流が、中央流路の空気の流れを促すため、中央流路の奥端部に空気が対流することもない。
【考案を実施するための最良の形態】
【０００９】
以下、本考案の実施例を図面に基づいて詳細に説明する。
【実施例１】
【００１０】
図１乃至図７は、本考案の実施例１を示す。
図２乃至図６に示すように、本考案の導煙機は、縦管２、横管３、接続管４、送風機５及び機体６を備える。
図２に示すように、横管３は中空状で、その上面に大小の直径を有する複数の通風孔３１が一定間隔毎に形成される。また、図３及び図５に示すように、横管３の内部両側寄りには長手方向に沿う２枚の隔壁３２が間隔をあけて、且つ、底面から浮いた状態で設けられ、隔壁３２の間に各通風孔３１と対応する複数の導気筒３３が設けられる。
さらに、横管３の一側部には導線路３４が長手方向に沿って形成されると共に、導線路３４に導線３６が挿通される。この導線３６は導線路３４の両端に設けられたコネクタ３５に接続されている。
【００１１】
図２に示すように、縦管２は中空状で、その上面に複数の通風孔２１が一定間隔毎に形成される。また、図３に示すように、縦管２の一側部には導線路２２が長手方向に沿って形成され、導線路２２の両端部にそれぞれコネクタ２３が設けられる。また、導線路２２の内部には導線２４が挿通され、導線２４がコネクタ２３に接続されている。
接続管４は、縦管２及び横管３よりもやや径大でＬ字形に屈曲した中空部を有し、その内部にプラグ４１が設置される。また、図４に示すように、接続管４の中空部は、その断面において、内角側が下方へ向くよう緩やかに傾斜している。
【００１２】
図３に示すように、送風機５は、横管３よりもやや径大の送風口５１を有する。送風口５１の内部にはプラグ５２が設置され、プラグ５２は送風機５の電源線と接続されている。
図４に示すように、機体６は、略箱型に形成され、その両端部には縦管２よりも一回り径大の中空管状の嵌合部６１が形成される。
機体６の中央部には、送風機５のＯＮ／ＯＦＦ及び風力調節を制御する制御回路６２が収納され、制御回路６２を操作する操作ボタン６３及び送風機５の駆動状況を示す支持ランプ６４が機体６の上面に設置されている。また、制御回路６２の両側には、制御回路６２の接続に用いるプラグ６５が設置され、プラグ６５は両側の嵌合部６１内に露出している。
【００１３】
そして、図６に示すように、機体６の両側の嵌合部６１にそれぞれ縦管２の一端部を連結して、制御回路６２のプラグ６５と縦管２の一方のコネクタ２３とを接続する。縦管２の他端部には接続管４の一端部を連結し、縦管２の他方のコネクタ２３と接続管４のプラグ４１とを接続する。
また、接続管４の他端には横管３の前端部を連結し、プラグ４１と横管３の一方のコネクタ３５とを接続する。
このようにして、縦管２と横管３を略コ字形に組み立てる。
【００１４】
さらに、横管３の奥端部には送風機５の送風口５１をはめ込み、送風機５のプラグ５２と横管３の他方のコネクタ３５とを接続する。この結果、制御回路６２と送風機５とは電気的に接続され、送風機５が作動中には横管３の奥端部内へ送風される。
なお、送風機５の送風口５１と横管３との接続部に防振カバー１００を被せ、送風機５が駆動中に発生する振動を抑制することもできる。
【００１５】
図７に示すように、この導煙機を調理台７の周囲を囲むように配置し、縦管２を調理台７の前部左右に設置すると共に、横管３を調理台７の両側部に設置する。
送風機５を作動させると、縦管２の通風孔２１及び横管３の通風孔３１から上方に空気が吹き出し、調理台７の周囲に気流の壁が形成される。そして、調理台７から発生する煙は、台所内へ拡散することなく換気扇８吸い込み口へ導引され、確実に屋外へ排出される。また、接続管４は内角側が低くなるよう傾斜しているので、縦管２及び横管３から吹き出す気流は内側を向き、煙は換気扇８に向かって集中するよう導引される。
【００１６】
さらに、横管３の内部には、隔壁３２で挟まれた中央流路と、隔壁３２の外側の側部流路とが形成されており、中央流路を流れる空気の流速及び圧力は、導気筒３３が設けられているので、側部流路の流速及び圧力よりも小さくなっている。この結果、中央流路を介して横管３の通風孔３１から吹き出す気流の強さと、側部流路を介して縦管２の通風孔２１から吹き出す気流の強さとは、横管３の方が送風機５に近いにも関わらず均一化される。しかも、側部流路内を高速で流れる空気に引かれて、中央流路内においても空気の流れが促進され、このため、中央流路の奥端部に空気が滞留摺るのを防ぐことができる。
なお、操作ボタン６３を操作し、制御回路６２を介して送風機５の風力を調節することにより、換気扇８の設置高さに応じて、縦管２及び横管３から吹き出す気流の強さを適宜変更することができる。
【実施例２】
【００１７】
図８及び図９は、本考案の実施例２を示す。
図８に示すように、上下方向に湾曲した略Ｌ字形の湾曲管９を用い、横管３の奥端部に湾曲管９の上部接続口を連結し、湾曲管９の下部接続部に送風機５を連結する。
すると、図９に示すように、調理台７の上面よりも下方に送風機５を隠して設置することができる。この場合、縦管２及び横管３も調理台７の上面より低い位置に配置すると良い。
他の構成及び使用方法は、実施例１とほぼ同様なので、詳細な説明は省略する。
【実施例３】
【００１８】
図１０は、本考案の実施例３を示す。
調理台７Ａ及び換気扇８Ａが大型で、その上面の面積が広く形成されている。これに対応して、縦管２及び横管３を長くし、調理台７Ａの上面の寸法に合わせてある。
その他の構成及び使用方法は、実施例１と同様である。
【実施例４】
【００１９】
図１１は、本考案の実施例４を示す。
防振カバー１００の送風側接続口を軸方向が互いに直交するよう二股に分岐してある。そして、横管３の奥端部に防振カバー１００の一方の送風側接続口を接続し、他方の送風側接続口に、縦管２と平行な他の縦管２Ａの外端をそれぞれ接続し、防振カバー１００の受風側接続口に送風機５を接続してある。他の縦管２Ａは、縦管２と同様の構造を有し、他の縦管２Ａの他端は中空管によって接続してある。
この導煙機を調理台の周囲に設置し、縦管２を調理台の前部左右に、横管３を調理台の側部に、他の縦管２Ａを調理台の後部左右にそれぞれ配置すると、調理台の前部及び側部のみならず後部にも気流の壁を形成することができ、排煙効果がいっそう高まる。
その他の構成は実施例１とほぼ同様なので、詳細な説明は省略する。
なお、本考案の具体的な構造は、上記実施例に限定されない。例えば、調理台の面積が広い場合には、複数の縦管２及び横管３を中空管によって継ぎ足すこともできる。
【図面の簡単な説明】
【００２０】
【図１】従来の導煙機の平面図。
【図２】実施例１を示す導煙機の分解斜視図。
【図３】実施例１を示す導煙機の要部分解斜視図。
【図４】実施例１を示す導煙機の要部分解斜視図。
【図５】実施例１を示す導煙機の要部斜視図。
【図６】実施例１を示す導煙機の平面図。
【図７】実施例１を示す導煙機の使用状態の斜視図。
【図８】実施例２を示す導煙機の要部分解斜視図。
【図９】実施例２を示す導煙機の使用状態の側面図。
【図１０】実施例３を示す導煙機の使用状態の斜視図。
【図１１】実施例４を示す導煙機の平面図。
【符号の説明】
【００２１】
２  縦管
２Ａ  他の縦管
２１  通風孔
２２  導線路
２３  コネクタ
２４  導線
３  横管
３１  通風孔
３２  隔壁
３３  導気筒
３４  導線路
３５  コネクタ
３６  導線
４  接続管
４１  コネクタプラグ
５  送風機
５１  送風口
５２  プラグ
６  機体
６１  嵌合部
６２  制御回路
６３  操作ボタン
６４  支持ランプ
６５  プラグ
７，７Ａ  調理台
８，８Ａ  換気扇
９  湾曲管
１００  防振カバー
【図１】
0003109250.tif 000003
【図２】
0003109250.tif 000004
【図３】
0003109250.tif 000005
【図４】
0003109250.tif 000006
【図５】
0003109250.tif 000007
【図６】
0003109250.tif 000008
【図７】
0003109250.tif 000009
【図８】
0003109250.tif 000010
【図９】
0003109250.tif 000011
【図１０】
0003109250.tif 000012
【図１１】
0003109250.tif 000013